(57)【要約】【課題】  埃を清掃しにくいコードに絡めることなく、埃を容易に清掃できるようにすることを目的とする。【解決手段】    コードや電源タップ７００などをダクト２の空洞部１００に収納できるので、コードに埃が絡むことなく、このダクト２を床面の上方に隙間をなして支持し、床面に対し接地する床面接地部４ａ、４ｂが少なくとも一部が移動可能、回転可能である複数の支持部を有するので、ダクトと床面の間に埃がたまることもなく、かつ、掃除する際には、床面接地部４ａ、４ｂを移動させるか回転させるかして、床面接地部４ａ、４ｂ付近にたまった埃を掃除することができる。【選択図】  図１
2005229775.tif 000002
【特許請求の範囲】
【請求項１】
コードを収納するための空洞部を有するダクトと、
前記ダクトを床面の上方に隙間をなして支持し、床面に接地する床面接地部の少なくとも一部が移動可能又は／及び離床可能である複数の支持部を有することを特徴とするコード収納具。
【請求項２】
前記ダクトの一部に、前記空洞部内に収納したコードを外部に引き出すための連通部を有することを特徴とする請求項１記載のコード収納具。
【請求項３】
前記支持部は、略鉛直軸に対し回転自在にダクトに軸支され、床面に接地しかつ前記略鉛直軸に対し水平方向に延設された床面接地部を１乃至複数有する支持体からなることを特徴とする請求項１乃至請求項２いずれか記載のコード収納具。
【請求項４】
複数の前記ダクトは、水平方向に互いに連結可能であることを特徴とする請求項１乃至請求項３いずれか記載のコード収納具。
【請求項５】
複数の前記ダクトは、前記空洞部内に他のダクトを格納可能であることを特徴とする請求項１乃至請求項４いずれか記載のコード収納具。
【請求項６】
前記ダクトは、その断面形状が、埃がたまりにくいように頂点に角を有する屋根型であり、下方が電源タップ類を収容可能に幅広であることを特徴とする請求項１乃至５いずれか記載のコード収納具。
【請求項７】
前記ダクトは、水平方向の一端側面が平面であり、該平面を部屋の壁面側に設置可能であることを特徴とする請求項１乃至請求項６いずれか記載のコード収納具。
【請求項８】
前記ダクトは、一端辺を軸に回転して開口する蓋部を有することを特徴とする請求項１乃至請求項７いずれか記載のコード収納具。
【請求項９】
リモコン指示を受信可能な受信装置と電気的に接続可能であり、該リモコン指示により、入力端子を出力端子へ接続するスイッチ手段を有することを特徴とする請求項１乃至請求項８いずれか記載のコード収納具。
【請求項１０】
コードを収納するための空洞部を有するダクトを床面の上方に隙間をなして支持し、床面に接地する床面接地部の少なくとも一部が移動可能又は／及び離床可能であることを特徴とするコード収納具の支持体。
【請求項１１】
コードを収納するための空洞部を有するダクトを床面の上方に隙間をなして支持し、床面に接地する床面接地部の一部を移動させるか又は／及び離床させてダクトの下方を清掃可能とすることを特徴とするコード収納具の使用方法。
【請求項１２】
請求項１乃至請求項１０いずれか記載のコード収納具の略水平一端辺に取り付け可能か、或いは、前記空洞部または他の第２の空洞部に収容されるロール状に巻いたロール体より外部へ引き出し可能か、のいずれかの可撓性を有した薄膜体であって、前記ダクトより引き出したコードを上方に覆うように取り付け可能であることを特徴とするコード収納具用埃防止カバー。
【請求項１３】
請求項１乃至請求項１０いずれか記載のコード収納具の略水平一端辺に取り付け可能か、或いは、前記空洞部または他の第２の空洞部に収容されるロール状に巻いたロール体より外部へ引き出し可能か、のいずれかの可撓性を有した筒状体であって、前記ダクトより引き出したコードを包み込むように取り付け可能であることを特徴とするコード収納具用埃防止カバー。
【発明の詳細な説明】
【技術分野】
【０００１】
本発明は電源コード等を収納するコード収納具、コード収納具を支持する支持体、コード収納方法、及びコード収納具に付随して用いるコード収納用埃防止カバーに関するものである。
【背景技術】
【０００２】
従来、コード収納具としては、内部にコード収納するための空洞部を有したダクトを床に両面テープによって貼り付けたものが知られている。
また、特許文献１の図４には電線を内蔵したプロテクタ１を電線支持具２５により床面の上方に隙間をなして支持する技術が開示されている。
また、特許文献２の図６の（ａ）（ｂ）にはコードＡを収納した収納体１を床面の上方に隙間をなして取り付け部材７を介して柱や壁面に取り付け可能とする技術が開示されている。
【特許文献１】特開平５−６４３３８
【特許文献２】実開平７−３９５４８
【発明の開示】
【発明が解決しようとする課題】
【０００３】
最近、パソコン、プリンタ、ステレオ等の音響機器、テレビ、ビデオ等を動作可能に電源コードや音響用のコードを配線すると、かなりの多数のコードが床面上に乱雑に置かれることになる。その多数のコードに埃が絡んで、家庭用の掃除機の吸入口をコードに絡んだ埃に近づけても容易に吸い込むことがでずイライラしてしまうことになる。また空中にコードを配線しても、むきだしのコードに埃がついて、コード一本毎に拭き取り掃除しないときれいにならないでイライラしてしまう。また電源コードをたこ足にする電源タップのプラグとの接続部に埃がたまることによって火事の原因になることもある。
【０００４】
また、コードを収納したダクトを床に両面テープによって貼り付けたものを用いた場合においては、床面とダクトの間に埃がたまり、その部分の掃除も容易でない。そして両面テープを再び取り外し難く、そのテープが床面に残ってしまい汚れてしまうことになる。
【０００５】
また、特許文献１記載の電線支持部２５が床面に対し固定された技術においては、床面と電線支持部２５の境界部に埃がたまりやすく、家庭内に設置する場合には、床面に固定される際、床面をネジ留めによって傷つけてしまい借家においては実行することも禁じられているケースが多い。
【０００６】
また、特許文献２記載のコードＡを収納した収納体１を取り付け部材７を介して柱や壁面に取り付け可能とする技術においては、家庭内に設置する場合においては、取り付け部材７を柱や壁面に取り付け再び取り外す際、傷ついてしまったり、汚れてしまうといった問題が生じる。そして、コードの余長部分を収納体１に収納可能ながら、切込３より外部に引き出した部分に埃がついてしまいコードを一本毎に埃の拭き取り掃除を行わないときれいにならない。    
【０００７】
本発明は、上記問題を解決するものであり、埃を清掃しにくいコードに絡めることなく、埃を容易に清掃できるようにすることを目的とするものである。
【課題を解決するための手段】
【０００８】
この発明は、コードを収納するための空洞部を有するダクトと、前記ダクトを床面の上方に隙間をなして支持し、床面に対し接触する床面接地部が少なくとも一部が移動可能又は／及び離床可能である１乃至複数の支持部を有することを特徴とするコード収納具、である。
【０００９】
この発明によれば、空洞部を有するダクトにコードを収納できるので、コードに埃が絡むことなく、このダクトを床面の上方に隙間をなして支持し、床面に対し接地する床面接地部が少なくとも一部が移動可能又は／及び離床可能である複数の支持部を有するので、ダクトと床面の間に埃がたまることもなく、かつ、掃除する際には、床面接地部の少なくと一部を床面に対し移動させるか又は／及び離床させるかして、床面接地部付近にたまった埃を掃除することができる。
【００１０】
尚、ダクトは断面が四角形に限定しない、円形、楕円形、三角形、その他多角形、などダクトとしてのコードを収納可能な空洞部を有すれば本発明のダクトに含まれる。
【００１１】
また尚、隙間は床面とダクトが接地しない程度であればよい。
【００１２】
また尚、支持部は、例えば棒状とし、例えばダクトの両端部、又は、下記の如くの連結する場合のダクト間の連結部を複数の支持部で支持するようにしてもよいが、１つのダクトの略中央部に１つの支持部にて支持するようにしてもよい。そして支持部はダクトに対し、下記の如く、ダクトに回転自在に軸支されてもよいし、その際、ダクト下部に設けられた軸受孔に支持部を下方より挿入し上端まで貫くように構成してもよいし、支持部に螺刻を設けてその軸受孔の径より幅広のナットを螺着して、ダクトが所定の高さに設定可能としてもよい。そしてその支持部である回転軸の鉛直下方の床面接地部は移動させないで、下記の如くこの床面接地部が略鉛直軸に対し水平方向に延設させた延設部が回転して移動可能としてもよい。より好ましくは支持部の回転軸の鉛直下方は接地しないようにして延設部のみが接地するようにすれば、埃がたまる部位がないので好ましい。
【００１３】
また支持部は、ダクトの少なくとダクト下方をダクト厚さにかけて水平方向に延設させて支持する水平延設支持部を設け、ダクトの水平長手方向にスライド移動可能に構成してもよい。また水平延設支持部の端部が上方にさらに延設されてダクトを挟持するようにしてダクトが支持部から落ち難いようにしてもよい。
【００１４】
またダクトに収容されたコードを任意のダクト位置から取り出すためにダクトをカッター等で穴や切込みをつけるようにしてもよいが、この発明では、さらに前記ダクトの一部に、前記空洞部内に収納したコードを外部に引き出すための連通部を有することを特徴するコード収納具、としてもよい。
【００１５】
この発明によれば、ダクトの一部に、空洞部内に収納したコードを外部に引き出すための連通部を有するので、ダクトをカッター等で穴や切込をつける必要がなく、連通部を介してコードを容易に外部に取り出すことができる。
【００１６】
尚、連通部は、埃などをダクト内部に溜めないために、ダクトの下方乃至側方に設けられることが好ましい。また、連通部は、コードをダクト長手方向のどこからでも取り出し可能とするため、ダクト長手方向に沿って設けられることが好ましい。
【００１７】
またこの発明は、さらに、前記支持部は、略鉛直軸に対し回転自在にダクトに軸支され、床面に接地しかつ前記略鉛直軸に対し水平方向に延設された床面接地部を１乃至複数有する支持体からなることを特徴とするコード収納具、を提供する。
【００１８】
この発明によれば、略鉛直軸に対し回転自在にダクトに軸支され、床面に接地しかつ前記略鉛直軸に対し水平方向に延設された床面接地部を１乃至複数有する支持体からなるので、通常、ダクトはこの支持部によって倒れることなくしっかりと支持され、掃除の際には床面接地部を回転させてその床面接地部と床面の間に溜まった埃を除去できる。
【００１９】
尚、床面接地部は１つである場合には、下記の如くのコード収納具のダクト一側面の平面を部屋等の壁面に設置させ、その平面の反対側に、水平方向に延設させるようにして、壁面によりかかるようにしてもよいし、床面接地部を複数として、壁面によりかからなくても立設できるようにしてもよい。
【００２０】
またこの発明では、さらに、複数の前記ダクトは、水平方向に互いに連結可能であることを特徴とするコード収納具、を提供する。
【００２１】
これによれば、ホームセンター等で販売する際に例えば１ｍで２〜４本毎に販売し、家庭内で使用する際には水平方向に互いに連結させて大きな部屋の壁面に沿って設置できる。
【００２２】
またこの発明では、さらに、複数の前記ダクトは、前記空洞部内に他のダクトを格納可能であることを特徴とするコード収納具、を提供する。
【００２３】
これによれば、ホームセンター等で販売する際に例えば１ｍづつ複数本を互いのダクトの中に格納して販売できるので展示エリアを少なくできる。
【００２４】
またこの発明は、さらに、前記ダクトは、その断面形状が、埃がたまりにくいように頂点に角を有する屋根型であり、下方が電源タップ類を収容可能に幅広であることを特徴とするコード収納具、を提供する。
【００２５】
これによれば、ダクトは、その断面形状が、埃がたまりにくいように頂点に角を有する屋根型であり、下方が電源タップ類を収納可能に幅広であるので、電源タップ類を収納可能に幅広としながらも埃が上部に溜まりにくい。
【００２６】
またこの発明は、さらに、前記ダクトは、水平方向の側面が平面であり、該平面を部屋の壁面側に設置可能であることを特徴とするコード収納具、を提供する。
【００２７】
これによれば、壁面にダクトを密着でき、省スペース化が図れる。尚、その平面には、１乃至複数の突起部を設け、平面と壁面の完全な密着を防止することで、平面とダクト頂上部に埃が溜まるのを防止するようにしてもよい。
【００２８】
また、この発明は、さらに、前記ダクトは、一端辺を軸に回転して開口する蓋部を有することを特徴とするコード収納具、を提供する。
【００２９】
これによれば、例えば、ダクト内の蓋部の内側に電源タップを位置させ、この電源タップのコンセントに家庭用ゲーム機などでよく用いられる箱状体の電源プラグを挿入することができる。尚、蓋部はダクトのなるべく上部の水平軸を中心に回転させるようにして、例えば、より大きな上記箱状体の電源プラグを、その上部から覆うことができるようにすることで、電源プラグ自体や電源プラグと電源タップ間に埃がたまらないようにできるが、鉛直軸を中心に蓋部を回転させてもよい。尚、蓋部は電源タップが落ちないよう、蓋部の開口下端部の高さが、ダクト最下端よい高く形成されていることが望ましい。
【００３０】
また、この発明は、リモコン指示を受信可能な受信装置と電気的に接続可能であり、該リモコン指示により、入力端子を出力端子へ接続するスイッチ手段を有することを特徴とするコード収納具、を提供する。
【００３１】
これによれば、コード収納具は、リモコン指示を受信可能な受信装置と電気的に接続可能であり、そのリモコン指示により、複数のコード入力端子の中から選択して１乃至複数の出力端子へ接続するスイッチ手段を有し、少なくともコード入力端子及び出力端子を有するので、例えば、ステレオの外部入力端子（ＡＵＸ端子）に接続すべき、音源ソースを、複数の音源出力機器よりリモコン指示により選択して、接続することができる。尚、複数の入力から１乃至複数の出力を選択して接続させるスイッチ手段、コード入力端子、出力端子は、コード収納具以外のもの、例えば、テレビ台、家具、ラック、壁面内に内在させてもよいし、埃が付着するも外部に露出させて使用することもできる。このようにすることで通常１つしかないステレオの外部入力端子に複数の音源ソースをリモコンで選択して接続することができる。また、スイッチ手段はリモコン指示により、電源供給をＯＮ−ＯＦＦさせて、例えば箱状体の電源コイルに通電するのを防止できる。これにより、未使用の際でも電源コイルは電源コンセントに挿入されていると一定の消費電力を要し、しかもいちいち電源コンセントから電源コイルを外すことがなされないので、本発明のようにリモコンにより手軽に電源をＯＦＦとできれば相当な量の電力が浪費されているのを防止できる。
【００３２】
また、この発明は、コードを収納するための空洞部を有するダクトを床面の上方に隙間をなして支持し、床面に接地する床面接地部の少なくとも一部が移動可能又は／及び離床可能であることを特徴とするコード収納具の支持体、を提供する。
【００３３】
これによれば、例えば別体の別企業の販売するダクトを、床面に対し少なくとも一部が移動可能又は／及び離床可能であるので、コードに埃が絡むことなく、ダクトと床面の間に埃がたまることもなく、かつ、掃除する際には、床面接地部の少なくと一部を床面に対し移動させるか又は／及び離床させるかして、床面接地部付近にたまった埃を掃除することができる。
【００３４】
また尚、隙間は床面とダクトが接地しない程度であればよい。
【００３５】
また尚、支持部は、例えば棒状とし、例えばダクトの両端部、又は、上記の如くの連結する場合のダクト間の連結部を複数の支持部で支持するようにしてもよいが、１つのダクトの略中央部に１つの支持部にて支持するようにしてもよい。そして支持部はダクトに対し、下記の如く、ダクトに回転自在に軸支されてもよいし、その際、ダクト下部に設けられた軸受孔に支持部を下方より挿入し上端まで貫くように構成してもよいし、支持部に螺刻を設けてその軸受孔の径より幅広のナットを螺着して、ダクトが所定の高さに設定可能としてもよい。そしてその支持部である回転軸の鉛直下方の床面接地部は移動させないで、上記の如くこの床面接地部が略鉛直軸に対し水平方向に延設させた延設部が回転して移動可能としてもよい。より好ましくは支持部である回転軸の鉛直下方は接地しないようにして延設部のみが接地するようにすれば、埃がたまる部位がない。
【００３６】
また支持部は、ダクトの少なくとダクト下方をダクト厚さにかけて水平方向に延設させて支持する延設支持部を設け、ダクトの水平長手方向にスライド移動可能に構成してもよい。また支持部はさらに、水平方向に延設された端部が上方にさらに延設されてダクトを挟持するようにしてダクトが支持部から落ち難いようにしてもよい。
【００３７】
また、この発明は、コードを収納するための空洞部を有するダクトを床面の上方に隙間をなして支持し、床面に接地する床面接地部の一部を移動させるか又は／及び離床させてダクトの下方を清掃可能とすることを特徴とするコード収納具の使用方法、を提供する。
【００３８】
これによれば、コードを収納するための空洞部を有するダクトを床面の上方に隙間をなして支持し、床面に接地する床面接地部の一部を移動させるか又は／及び離床させてダクトの下方を清掃可能とするので、コードに埃が絡むことなく、ダクトと床面の間に埃がたまることもなく、かつ、掃除する際には、床面接地部の少なくと一部を床面に対し移動させるか又は／及び離床させるかして、床面接地部付近にたまった埃を掃除することができる。
【００３９】
またこの発明は、上記いずれか記載のコード収納具の略水平一端辺に取り付け可能か、或いは、前記空洞部または他の第２の空洞部に収容されるロール状に巻いたロール体より外部へ引き出し可能か、のいずれかの可撓性を有した薄膜体であって、前記ダクトより引き出したコードを上方に覆うように取り付け可能であることを特徴とするコード収納具用埃防止カバー、を提供する。
【００４０】
またこの発明は、上記いずれか記載のコード収納具の略水平一端辺に取り付け可能か、或いは、前記空洞部または他の第２の空洞部に収容されるロール状に巻いたロール体より外部へ引き出し可能か、のいずれかの可撓性を有した筒状体であって、前記ダクトより引き出したコードを包み込むように取り付け可能であることを特徴とするコード収納具用埃防止カバー、を提供する。
【００４１】
これによれば、薄膜体または筒状体が、ダクトより引き出したコードを、夫々、上方を覆うように、または、包み込むように、取付可能であるので、ダクトから引き出したコードに埃がついてしまうことがない。
【００４２】
尚、筒状体は、２枚重ねに左右両端を折り込み平面状にするとよい。このようにすると、この筒状体はロール状に巻いてロール体とすることができる。またダクトより引き出したコードを筒状体の中に入れ易いように、平面状の片側には、所定間隔に切込や孔を設けるようにするとよい。
【００４３】
尚、上記したダクト、支持体、薄膜体、筒状体は、例えば、合成樹脂で形成することもでき、静電気により埃が吸着されないように導電性金属やカーボン系の導電性フィラー等の微粒子を主材料の合成樹脂に対して配合するようにしてもよい。もちろんこれらダクト、支持体は、金属性、あるいは、絶縁性塗料を塗布した金属を用いても良い。
【発明の効果】
【００４４】
以上説明してきたように、本発明のコード収納具、コード収納具の支持体、コード収納方法、および、コード収納具用埃防止カバーは、埃を清掃しにくいコードに絡めることなく、埃を容易に清掃できるようにする。
【発明を実施するための最良の形態】
【００４５】
以下に最良の形態として実施例１〜４を示す。
【実施例１】
【００４６】
以下、本発明の実施の形態を図１から図１１に基づいて説明する。尚、本実施例で例示するダクト２は白色の熱可塑性樹脂、支持体３は金属製、薄膜体２１および筒状体８はビニール、スイッチ手段３５は内部にリレーとこのリレーを駆動する駆動回路および配線を覆う樹脂製のボックスを用いるが、これに限定されない。
【００４７】
図１は、本発明の第１の実施形態であるコード収納具１ａの斜視図である。
本発明の第１の実施形態であるコード収納具１ａは、コード、電源タップ７００、電源プラグ７０１を収納するための空洞部１００を有するダクト２と、そのダクトを床面の上方に隙間をなして支持する支持部３からなる。支持部３は、ダクト２の外周を囲う帯を有し、この帯はダクト２に沿って移動自在である。そして、支持部３の床面に対し接触する、鉛直軸に対し水平方向に延設された床面接地部４ａ、４ｂが鉛直軸を中心とする蝶番５に軸支されて回転可能である。またダクトの下部に、空洞部内に収納したコードを外部に引き出すための連通部１０１を有している。またダクト２は、その断面形状が、埃がたまりにくいように頂点に角を有する屋根型であり、下方が電源タップ類を収容可能に幅広に形成されている。そしてダクト２は、水平方向の一端側面が平面であり、該平面を部屋の壁面側に設置可能である。また床面接地部４ａ、４ｂは床面に固定されていない。
【００４８】
また図２に示す如く、ダクト２は互いに連結するための、やや外周長を少なくして他のダクト２の空洞部１００の内側に挿入して嵌合可能な嵌合部２ｃを有する。そして、図３に示す如く、ダクト２はダクト２ａとダクト２ｂの如く互いに２乃至多数を連結可能である。
【００４９】
また図４に示す如く、支持部３は、上記した如く、ダクト２の外周を囲う帯を有し、この帯はダクト２に沿って移動自在である。そして、支持部３の床面に対し接触する、鉛直軸に対し水平方向に延設された床面接地部４ａ、４ｂが鉛直軸を中心とする蝶番５に軸支されて回転可能である。帯は３ａと３ｂに分割可能であり、切込３ａ１と３ｂ１とが互い嵌め込み可能であり、ダクト２の外周を囲う。
【００５０】
また図５に示す如く、床面接地部４ａ１、４ｂ１は、蝶番５の鉛直下方が、床面との間に隙間を有する。
【００５１】
この第１の実施形態によれば、コードや電源タップ７００、電源コンセント７０１などをダクト２の空洞部１００に収納できるので、コードに埃が絡むことなく、このダクト２を床面の上方に隙間をなして支持し、床面に対し接地する床面接地部４ａ、４ｂが少なくとも一部が移動可能又は／及び離床可能である複数の支持部を有するので、ダクトと床面の間に埃がたまることもなく、かつ、掃除する際には、床面接地部の少なくと一部を床面に対し移動させるか又は／及び離床させるかして、床面接地部付近にたまった埃を掃除することができる。
【００５２】
また、ダクト２の一部に、空洞部１００内に収納したコードを外部に引き出すための連通部１０１を有するので、ダクト２をカッター等で穴や切込をつける必要がなく、連通部１０１を介してコードを容易に外部に取り出すことができる。そして連通部１０１をダクト２下方に設けることで、埃などをダクト内部に溜めない。また、連通部１０１はダクト２の長手方向に沿ってもうけらており、任意の位置からコードを外部に取り出し可能である。
【００５３】
鉛直軸に対し回転自在にダクト２に軸支され、床面に接地しかつ鉛直軸に対し水平方向に延設された床面接地部４ａ、４ｂを複数有する支持体からなるので、通常、ダクト２はこの支持部３によって倒れることなくしっかりと支持され、掃除の際には床面接地部４ａ、４ｂを回転させてその床面接地部４ａ、４ｂと床面の間に溜まった埃を除去できる。
【００５４】
ダクト２は、その断面形状が、埃がたまりにくいように頂点に角を有する屋根型であり、下方が電源タップ７００や電源プラグ７０１を収納可能に幅広であるので、電源タップ類を収納可能に幅広としながらも埃が上部に溜まりにくい。
【００５５】
またダクト２は、水平方向の側面が平面であり、この平面を部屋の壁面側に設置可能であるので、壁面にダクトを密着でき、省スペース化が図れる。
【００５６】
また長手方向が１ｍのダクト２ａ、２ｂを互いに連結可能であり、ホームセンター等で販売する際に２〜４本毎に販売し、家庭内で使用する際には水平方向に互いに連結させて大きな部屋であっても壁面全域に沿って設置できる。
【実施例２】
【００５７】
また、図６に示す如く、コード収納具１ｂは、ダクト２の水平一端辺である切込み１０に薄膜体２１を取り付けてある。また、支持部３は、固定して鉛直軸に対し回転しない３枚板である床面接地部４からなり、ダクト２を上部の支持部３がゆるく挟持する。尚、支持部３は掃除する際にはダクト２に対し上部の支持部３がゆるく挟持されるので、床面接地部４をダクト２に沿って水平方向に移動させるか、一端外して、その支持部３の床面設置部４の付近の埃を掃除できる。そして、連通部１０１を介して空洞部１００より引き出されたコードをその近傍の電気装置まで薄膜体２１が上部から覆うので、コードに埃が絡むことがない。薄膜体２１に埃がたまれば、薄膜体２１を捨ててしまうか、他の広いところで拭いて再使用できる。薄膜体２１はラップを代用するようにしてもよい。
【００５８】
また、図７に示す如く、ダクト２は、２ｄの内側の空洞部１００内に他のダクト２ｅを格納し、２ｅの内側の空洞部１００内に他のダクト２ｆを格納する。このようにすることでホームセンター等で販売する際に例えば１ｍづつ複数本を互いのダクトの中に格納して販売できるので展示エリアを少なくできる。
【実施例３】
【００５９】
また図８に示す如く、コード収納具１ｃにおいて、ダクト２は、水平一端辺を軸に回転して開口する蓋部８を有し、ダクト２内の蓋部８の内側に電源タップ７００を位置させ、この電源タップ７００のコンセントに家庭用ゲーム機などでよく用いられる箱状体７０３の電源プラグを挿入することができる。蓋部８はダクト２の上部の水平軸を中心に回転し、箱状体７０３を、その上部から覆うことができるようにすることで、電源プラグ自体や電源プラグと電源タップ間に埃がたまらないようにできる。
【００６０】
また、リモコン指示を受信可能な受信装置３０を取り付け穴３１に家庭内の壁面によく用いられる石膏ボード用の小型の釘などで取り付け、この受信装置３０より電気的に接続する端部にコネクタ３３を有する接続線３２を介してコネクタ３４に取りつかられる。コネクタ３４は蓋部８の内側に配置されたスイッチ手段３５内に配線される。スイッチ手段３５は、電源コードにより電源を得る。そしてスイッチ手段３５には６個のリレー（図示しない）を有し、受信装置３０よりの信号を受けてリレーをＯＮ−ＯＦＦを駆動する電気回路を有している。リモコン指示により、ｉｎＡ１、ｉｎＡ２、ｉｎＡ３のコード入力端子のうち１本が出力端子ＯＵＴＡから出力されるようリレーが制御される。同様に、ｉｎＢ１、ｉｎＢ２、ｉｎＢ３のコード入力端子のうち１本が出力端子ＯＵＴＢから出力されるようリレーが制御される。これらスイッチ手段、コード入力端子、出力端子はダクト２の空洞部１００内に内在するのでコードやスイッチ手段、コード入力端子、出力端子が埃まみれにならず好ましい。このようにすることで、ステレオの外部入力端子（ＡＵＸ端子）に接続すべき、音源ソースを、複数の音源出力機器よりリモコン指示により選択して、接続することができる。また、リモコン指示によりコンセントであるｉｎＡ１、ｉｎＡ２、ｉｎＡ３、ＯＵＴＡ、ｉｎＢ１、ｉｎＢ２、ｉｎＢ３、ＯＵＴＢに電源供給をＯＮ−ＯＦＦするためリレー制御されるようにしてもよい。リモコン指示には全コンセントへの一括ＯＮボタンとＯＦＦボタンを装備され１ボタン操作によって全コンセントへの電源供給が一斉にＯＮまたはＯＦＦとされる。また、図９に拡大図を記した支持体３はダクト２内の上下方向に貫通するトンネル７に挿入可能であり、コードを収納するための空洞部１００を有するダクト２を床面の上方に隙間をなして水平延設支持部６にて挟持して支持し、床面に接地する３枚板で形成された床面接地部４を床面より持ち上げることができる。また、空洞部１００に内在させた筒状体８がロール状に巻かれたロール体９より筒状体８を連通部１０１を介して引き出し、コードを複数の下方切込１８より筒状態８の内部に入れて電機機器に至るまで埃が内包し、コードに埃が被らないようできる。
【実施例４】
【００６１】
図１０に示す如く、コード収納具１ｄにおいて、支持部３はダクト２の上下方向に貫通するトンネル７に挿入可能であり、図１１に拡大図を記すと、下方の分岐した下方分岐部は、下部支持棒４ｃの先端の床面接地部４ｅと、下部支持部４ｆの先端の床面設置部４ｄを有し、途中には、角度固定機４０を備え、下方分岐部が接地位置と離床位置とを角度を固定して軸４１を中心に回転可能である。角度固定機４０は、軸４１に回転自在の下方分岐部と上方の支持部３とが軸支され、突起４２を有する。そして人間の力によって突起部４２を乗り越えて下方分岐部が接地位置と離床位置に回転させることができ、回転後は突起４２によってどちらかに固定できる。このようにして、掃除する際には、下方分岐部を上方の離床位置に離床させて容易に掃除することができる。また３本以上の支持部３によるダクト２を支持すれば、下方分岐部を上方に離床させても他の支持部３がダクトを支持するので床面に落ちてしまうこともない。
【００６２】
また、上記した実施例では、コードを収納するための空洞部１００を有するダクト２を床面の上方に隙間をなして支持し、床面に接地する床面接地部の一部を移動させるか又は／及び離床させてダクトの下方を清掃可能とすることができるので、床面接地部付近にたまった埃を掃除することができる。
【産業上の利用可能性】
【００６３】
リモコンの指示によって、複数の入力から１乃至複数の出力を選択して接続させるスイッチ手段、コード入力端子、出力端子は、コード収納具以外のもの、例えば、テレビ台、家具、ラック、壁面内に内在させてもよいし、埃が付着するも外部に露出させて使用することもできる。このようにすることで通常１つしかないステレオ等の外部入力端子に複数の音源ソースをリモコンで選択して接続することができる。また、スイッチ手段はリモコン指示により、電源供給をＯＮ−ＯＦＦさせて、例えば箱状体の電源コイルに通電するのを防止できる。これにより、未使用の際でも電源コイルは電源コンセントに挿入されていると一定の消費電力を要し、しかもいちいち電源コンセントから電源コイルを外すことがなされないので、本発明のようにリモコンにより手軽に電源をＯＦＦとできれば相当な量の電力が浪費されているのを防止できる。
【図面の簡単な説明】
【００６４】
【図１】第１実施形態のコード収納具斜視図
【図２】第１実施形態のコード収納具のダクト斜視図
【図３】第１実施形態のコード収納具のダクトを連結した斜視図
【図４】第１実施形態のコード収納具の支持部斜視図
【図５】第１実施形態のコード収納具の第２の支持部斜視図
【図６】第２実施形態のコード収納具斜視図
【図７】第２実施形態のコード収納具のダクトを入れ子構造に収納した斜視図
【図８】第３実施形態のコード収納具斜視図
【図９】第３実施形態のコード収納具の第３の支持部斜視図
【図１０】第４の実施形態のコード収納具斜視図
【図１１】第４実施形態のコード収納具の第３の支持部斜視図
【符号の説明】
【００６５】
１ａ、１ｂ、１ｃ、１ｄ  コード収納具（第１実施形態〜第４実施形態）
２、２ａ、２ｂ、２ｄ、２ｅ、２ｆ  ダクト
２ｃ  嵌合部
３  支持部
３ａ１，３ｂ１  切込
４、４ａ１、４ｂ１  床面接地部
５  蝶番
６  水平延設支持部
７  トンネル
８  筒状体
９  ロール体
１０  コード
１１、１３  入力端子
１２、１４  出力端子
１８  筒状体切込
１９  筒状体内側部
２１  薄膜体
４０  角度固定機
４１  角度固定機の軸
４２  角度固定機の突起
１００  空洞部
１０１  連通部
【図１】
2005229775.tif 000003
【図２】
2005229775.tif 000004
【図３】
2005229775.tif 000005
【図４】
2005229775.tif 000006
【図５】
2005229775.tif 000007
【図６】
2005229775.tif 000008
【図７】
2005229775.tif 000009
【図８】
2005229775.tif 000010
【図９】
2005229775.tif 000011
【図１０】
2005229775.tif 000012
【図１１】
2005229775.tif 000013
【手続補正書】
【提出日】平成16年6月28日(2004.6.28)
【手続補正１】
【補正対象書類名】特許請求の範囲
【補正対象項目名】全文
【補正方法】変更
【補正の内容】
【特許請求の範囲】
【請求項１】
コードを収納するための空洞部を有するダクトと、
前記ダクトを床面の上方に隙間をなして支持する支持部を有し、
前記支持部は、略鉛直軸に対し水平方向に延設された床面接地部を１乃至複数有することを特徴とするコード収納具。
【請求項２】
コードを収納するための空洞部を有するダクトと、
前記ダクトを床面の上方に隙間をなして支持し、床面に接地する床面接地部の少なくとも一部が移動可能又は／及び離床可能である複数の支持部を有することを特徴とするコード収納具。
【請求項３】
前記ダクトの一部に、前記空洞部内に収納したコードを外部に引き出すための連通部を有することを特徴とする請求項１乃至請求項２いずれか記載のコード収納具。
【請求項４】
複数の前記ダクトは、水平方向に互いに連結可能であることを特徴とする請求項１乃至請求項３いずれか記載のコード収納具。
【請求項５】
複数の前記ダクトは、前記空洞部内に他のダクトを格納可能であることを特徴とする請求項１乃至請求項４いずれか記載のコード収納具。
【請求項６】
前記ダクトは、その断面形状が、埃がたまりにくいように頂点に角を有する屋根型であり、下方が電源タップ類を収容可能に幅広であることを特徴とする請求項１乃至５いずれか記載のコード収納具。
【請求項７】
前記ダクトは、水平方向の一端側面が平面であり、該平面を部屋の壁面側に設置可能であることを特徴とする請求項１乃至請求項６いずれか記載のコード収納具。
【請求項８】
前記ダクトは、一端辺を軸に回転して開口する蓋部を有することを特徴とする請求項１乃至請求項７いずれか記載のコード収納具。
【請求項９】
リモコン指示を受信可能な受信装置と電気的に接続可能であり、該リモコン指示により、入力端子を出力端子へ接続するスイッチ手段を有することを特徴とする請求項１乃至請求項８いずれか記載のコード収納具。
【請求項１０】
コードを収納するための空洞部を有するダクトを床面の上方に隙間をなして支持し、床面に接地する床面接地部の少なくとも一部が移動可能又は／及び離床可能であることを特徴とするコード収納具の支持体。
【請求項１１】
コードを収納するための空洞部を有するダクトを床面の上方に隙間をなして支持し、床面に接地する床面接地部が略鉛直軸に対し水平方向に延設されることを特徴とするコード収納具の支持体。
【請求項１２】
コードを収納するための空洞部を有するダクトを床面の上方に隙間をなして支持し、床面に接地する床面接地部の一部を移動させるか又は／及び離床させてダクトの下方を清掃可能とすることを特徴とするコード収納具の使用方法。
【請求項１３】
請求項１乃至請求項９いずれか記載のコード収納具の略水平一端辺に取り付け可能か、或いは、前記空洞部または他の第２の空洞部に収容されるロール状に巻いたロール体より外部へ引き出し可能か、のいずれかの可撓性を有した薄膜体であって、前記ダクトより引き出したコードを上方に覆うように取り付け可能であることを特徴とするコード収納具用埃防止カバー。
【請求項１４】
請求項１乃至請求項９いずれか記載のコード収納具の略水平一端辺に取り付け可能か、或いは、前記空洞部または他の第２の空洞部に収容されるロール状に巻いたロール体より外部へ引き出し可能か、のいずれかの可撓性を有した筒状体であって、前記ダクトより引き出したコードを包み込むように取り付け可能であることを特徴とするコード収納具用埃防止カバー。
【手続補正２】
【補正対象書類名】明細書
【補正対象項目名】全文
【補正方法】変更
【補正の内容】
【発明の詳細な説明】
【技術分野】
【０００１】
本発明は電源コード等を収納するコード収納具、コード収納具を支持する支持体、コード収納方法、及びコード収納具に付随して用いるコード収納用埃防止カバーに関するものである。
【背景技術】
【０００２】
従来、コード収納具としては、内部にコード収納するための空洞部を有したダクトを床に両面テープによって貼り付けたものが知られている。また、特許文献１の図４には電線を内蔵したプロテクタ１を電線支持具２５により床面の上方に隙間をなして支持する技術が開示されている。また、特許文献２の図６の（ａ）（ｂ）にはコードＡを収納した収納体１を床面の上方に隙間をなして取り付け部材７を介して柱や壁面に取り付け可能とする技術が開示されている。
【特許文献１】特開平５−６４３３８
【特許文献２】実開平７−３９５４８
【発明の開示】
【発明が解決しようとする課題】
【０００３】
最近、パソコン、プリンタ、ステレオ等の音響機器、テレビ、ビデオ等を動作可能に電源コードや音響用のコードを配線すると、かなりの多数のコードが床面上に乱雑に置かれることになる。その多数のコードに埃が絡んで、家庭用の掃除機の吸入口をコードに絡んだ埃に近づけても容易に吸い込むことがでずイライラしてしまうことになる。また空中にコードを配線しても、むきだしのコードに埃がついて、コード一本毎に拭き取り掃除しないときれいにならないでイライラしてしまう。また電源コードをたこ足にする電源タップのプラグとの接続部に埃がたまることによって火事の原因になることもある。
【０００４】
また、コードを収納したダクトを床に両面テープによって貼り付けたものを用いた場合においては、床面とダクトの間に埃がたまり、その部分の掃除も容易でない。そして両面テープを再び取り外し難く、そのテープが床面に残ってしまい汚れてしまうことになる。
【０００５】
また、特許文献１記載の電線支持部２５が床面に対し固定された技術においては、床面と電線支持部２５の境界部に埃がたまりやすく、家庭内に設置する場合には、床面に固定される際、床面をネジ留めによって傷つけてしまい借家においては実行することも禁じられているケースが多い。また、特許文献１記載の電線支持部２５を床面に固定しない場合、支えがないので倒れやすい。
【０００６】
また、特許文献２記載のコードＡを収納した収納体１を取り付け部材７を介して柱や壁面に取り付け可能とする技術においては、家庭内に設置する場合においては、取り付け部材７を柱や壁面に取り付け再び取り外す際、傷ついてしまったり、汚れてしまうといった問題が生じる。そして、コードの余長部分を収納体１に収納可能ながら、切り込み３より外部に引き出した部分に埃がついてしまいコードを一本毎に埃の拭き取り掃除を行わないときれいにならない。    
【０００７】
本発明は、上記問題を解決するものであり、埃を清掃しにくいコードに絡めることなく、埃を容易に清掃できるようにすることを目的とするものである。
【課題を解決するための手段】
【０００８】
この発明は、コードを収納するための空洞部を有するダクトと、前記ダクトを床面の上方に隙間をなして支持する支持部を有し、前記支持部は、略鉛直軸に対し水平方向に延設された床面接地部を１乃至複数有することを特徴とするコード収納具、である。
【０００９】
この発明によれば、ダクトを床面の上方に隙間をなして支持する支持部が、略鉛直軸に対し水平方向に延設された床面接地部を１乃至複数有するので、通常、ダクトはこの支持部によって倒れることなくしっかりと支持される。
【００１０】
尚、床面接地部は１つである場合には、下記の如くのコード収納具のダクト一側面の平面を部屋等の壁面に設置させ、その平面の反対側に、水平方向に延設させるようにして、壁面によりかかるようにしてもよいし、床面接地部を複数として、壁面によりかからなくても立設できるようにしてもよい。
【００１１】
この発明は、コードを収納するための空洞部を有するダクトと、前記ダクトを床面の上方に隙間をなして支持し、床面に対し接触する床面接地部が少なくとも一部が移動可能又は／及び離床可能である１乃至複数の支持部を有することを特徴とするコード収納具、である。
【００１２】
この発明によれば、コードを空洞部を有するダクトに収納できるので、コードに埃が絡むことなく、このダクトを床面の上方に隙間をなして支持し、床面に対し接地する床面接地部が少なくとも一部が移動可能又は／及び離床可能である複数の支持部を有するので、ダクトと床面の間に埃がたまることもなく、かつ、掃除する際には、床面接地部の少なくとも一部を床面に対し移動させるか又は／及び離床させるかして、床面接地部付近にたまった埃を掃除することができる。
【００１３】
尚、ダクトは断面が四角形に限定しない、円形、楕円形、三角形、その他多角形、などダクトとしてのコードを収納可能な空洞部を有すれば本発明のダクトに含まれる。
【００１４】
また尚、隙間は床面とダクトが接地しない程度であればよい。
【００１５】
また尚、支持部は、例えば棒状とし、例えばダクトの両端部、又は、下記の如くの連結する場合のダクト間の連結部を複数の支持部で支持するようにしてもよいが、１つのダクトの略中央部に１つの支持部にて支持するようにしてもよい。そして支持部はダクトに対し、下記の如く、ダクトに回転自在に軸支されてもよいし、その際、ダクト下部に設けられた軸受孔に支持部を下方より挿入し上端まで貫くように構成してもよいし、支持部に螺刻を設けてその軸受孔の径より幅広のナットを螺着して、ダクトが所定の高さに設定可能としてもよい。そしてその支持部である回転軸の鉛直下方の床面接地部は移動させないで、下記の如くこの床面接地部が略鉛直軸に対し水平方向に延設させた延設部が回転して移動可能としてもよい。より好ましくは支持部の回転軸の鉛直下方は接地しないようにして延設部のみが接地するようにすれば、埃がたまる部位がないので好ましい。
【００１６】
また支持部は、ダクトの少なくともダクト下方をダクト厚さにかけて水平方向に延設させて支持する水平延設支持部を設け、ダクトの水平長手方向にスライド移動可能に構成してもよい。また水平延設支持部の端部が上方にさらに延設されてダクトを挟持するようにしてダクトが支持部から落ち難いようにしてもよい。
【００１７】
またダクトに収容されたコードを任意のダクト位置から取り出すためにダクトをカッター等で穴や切込みをつけるようにしてもよいが、この発明では、さらに前記ダクトの一部に、前記空洞部内に収納したコードを外部に引き出すための連通部を有することを特徴するコード収納具、としてもよい。
【００１８】
この発明によれば、ダクトの一部に、空洞部内に収納したコードを外部に引き出すための連通部を有するので、ダクトをカッター等で穴や切込みをつける必要がなく、連通部を介してコードを容易に外部に取り出すことができる。
【００１９】
尚、連通部は、埃などをダクト内部に溜めないために、ダクトの下方乃至側方に設けられることが好ましい。また、連通部は、コードをダクト長手方向のどこからでも取り出し可能とするため、ダクト長手方向に沿って設けられることが好ましい。
【００２０】
またこの発明では、さらに、複数の前記ダクトは、水平方向に互いに連結可能であることを特徴とするコード収納具、を提供する。
【００２１】
これによれば、ホームセンター等で販売する際に例えば１ｍで２〜４本毎に販売し、家庭内で使用する際には水平方向に互いに連結させて大きな部屋の壁面に沿って設置できる。
【００２２】
またこの発明では、さらに、複数の前記ダクトは、前記空洞部内に他のダクトを格納可能であることを特徴とするコード収納具、を提供する。
【００２３】
これによれば、ホームセンター等で販売する際に例えば１ｍづつ複数本を互いのダクトの中に格納して販売できるので展示エリアを少なくできる。
【００２４】
またこの発明は、さらに、前記ダクトは、その断面形状が、埃がたまりにくいように頂点に角を有する屋根型であり、下方が電源タップ類を収容可能に幅広であることを特徴とするコード収納具、を提供する。
【００２５】
これによれば、ダクトは、その断面形状が、埃がたまりにくいように頂点に角を有する屋根型であり、下方が電源タップ類を収納可能に幅広であるので、電源タップ類を収納可能に幅広としながらも埃が上部に溜まりにくい。
【００２６】
またこの発明は、さらに、前記ダクトは、水平方向の側面が平面であり、該平面を部屋の壁面側に設置可能であることを特徴とするコード収納具、を提供する。
【００２７】
これによれば、壁面にダクトを密着でき、省スペース化が図れる。尚、その平面には、１乃至複数の突起部を設け、平面と壁面の完全な密着を防止することで、平面とダクト頂上部に埃が溜まるのを防止するようにしてもよい。
【００２８】
また、この発明は、さらに、前記ダクトは、一端辺を軸に回転して開口する蓋部を有することを特徴とするコード収納具、を提供する。
【００２９】
これによれば、例えば、ダクト内の蓋部の内側に電源タップを位置させ、この電源タップのコンセントに家庭用ゲーム機などでよく用いられる箱状体の電源プラグを挿入することができる。尚、蓋部はダクトのなるべく上部の水平軸を中心に回転させるようにして、例えば、より大きな上記箱状体の電源プラグを、その上部から覆うことができるようにすることで、電源プラグ自体や電源プラグと電源タップ間に埃がたまらないようにできるが、鉛直軸を中心に蓋部を回転させてもよい。尚、蓋部は電源タップが落ちないよう、蓋部の開口下端部の高さが、ダクト最下端より高く形成されていることが望ましい。
【００３０】
また、この発明は、リモコン指示を受信可能な受信装置と電気的に接続可能であり、該リモコン指示により、入力端子を出力端子へ接続するスイッチ手段を有することを特徴とするコード収納具、を提供する。
【００３１】
これによれば、コード収納具は、リモコン指示を受信可能な受信装置と電気的に接続可能であり、そのリモコン指示により、複数のコード入力端子の中から選択して１乃至複数の出力端子へ接続するスイッチ手段を有し、少なくともコード入力端子及び出力端子を有するので、例えば、ステレオの外部入力端子（ＡＵＸ端子）に接続すべき、音源ソースを、複数の音源出力機器よりリモコン指示により選択して、接続することができる。尚、複数の入力から１乃至複数の出力を選択して接続させるスイッチ手段、コード入力端子、出力端子は、コード収納具以外のもの、例えば、テレビ台、家具、ラック、壁面内に内在させてもよいし、埃が付着するも外部に露出させて使用することもできる。このようにすることで通常１つしかないステレオの外部入力端子に複数の音源ソースをリモコンで選択して接続することができる。また、スイッチ手段はリモコン指示により、電源供給をＯＮ−ＯＦＦさせて、例えば箱状体の電源コイルに通電するのを防止できる。これにより、未使用の際でも電源コイルは電源コンセントに挿入されていると一定の消費電力を要し、しかもいちいち電源コンセントから電源コイルを外すことがなされないので、本発明のようにリモコンにより手軽に電源をＯＦＦとできれば相当な量の電力が浪費されているのを防止できる。
【００３２】
また、この発明は、コードを収納するための空洞部を有するダクトを床面の上方に隙間をなして支持し、床面に接地する床面接地部の少なくとも一部が移動可能又は／及び離床可能であることを特徴とするコード収納具の支持体、を提供する。
【００３３】
これによれば、例えば別体の別企業の販売するダクトを、床面に対し少なくとも一部が移動可能又は／及び離床可能であるので、コードに埃が絡むことなく、ダクトと床面の間に埃がたまることもなく、かつ、掃除する際には、床面接地部の少なくとも一部を床面に対し移動させるか又は／及び離床させるかして、床面接地部付近にたまった埃を掃除することができる。
【００３４】
また尚、隙間は床面とダクトが接地しない程度であればよい。
【００３５】
また尚、支持部は、例えば棒状とし、例えばダクトの両端部、又は、上記の如くの連結する場合のダクト間の連結部を複数の支持部で支持するようにしてもよいが、１つのダクトの略中央部に１つの支持部にて支持するようにしてもよい。そして支持部はダクトに対し、下記の如く、ダクトに回転自在に軸支されてもよいし、その際、ダクト下部に設けられた軸受孔に支持部を下方より挿入し上端まで貫くように構成してもよいし、支持部に螺刻を設けてその軸受孔の径より幅広のナットを螺着して、ダクトが所定の高さに設定可能としてもよい。そしてその支持部である回転軸の鉛直下方の床面接地部は移動させないで、上記の如くこの床面接地部が略鉛直軸に対し水平方向に延設させた延設部が回転して移動可能としてもよい。より好ましくは支持部である回転軸の鉛直下方は接地しないようにして延設部のみが接地するようにすれば、埃がたまる部位がない。
【００３６】
また支持部は、ダクトの少なくともダクト下方をダクト厚さにかけて水平方向に延設させて支持する延設支持部を設け、ダクトの水平長手方向にスライド移動可能に構成してもよい。また支持部はさらに、水平方向に延設された端部が上方にさらに延設されてダクトを挟持するようにしてダクトが支持部から落ち難いようにしてもよい。
【００３７】
また、この発明は、コードを収納するための空洞部を有するダクトを床面の上方に隙間をなして支持し、床面に接地する床面接地部が略鉛直軸に対し水平方向に延設されることを特徴とするコード収納具の支持体、を提供する。
【００３８】
この発明によれば、ダクトを床面の上方に隙間をなして支持する支持部を有し、支持部は、略鉛直軸に対し水平方向に延設された床面接地部を１乃至複数有するので、通常、ダクトはこの支持部によって倒れることなくしっかりと支持される。
【００３９】
尚、床面接地部は１つである場合には、下記の如くのコード収納具のダクト一側面の平面を部屋等の壁面に設置させ、その平面の反対側に、水平方向に延設させるようにして、壁面によりかかるようにしてもよいし、床面接地部を複数として、壁面によりかからなくても立設できるようにしてもよい。
【００４０】
また、この発明は、コードを収納するための空洞部を有するダクトを床面の上方に隙間をなして支持し、床面に接地する床面接地部の一部を移動させるか又は／及び離床させてダクトの下方を清掃可能とすることを特徴とするコード収納具の使用方法、を提供する。
【００４１】
これによれば、コードを収納するための空洞部を有するダクトを床面の上方に隙間をなして支持し、床面に接地する床面接地部の一部を移動させるか又は／及び離床させてダクトの下方を清掃可能とするので、コードに埃が絡むことなく、ダクトと床面の間に埃がたまることもなく、かつ、掃除する際には、床面接地部の少なくとも一部を床面に対し移動させるか又は／及び離床させるかして、床面接地部付近にたまった埃を掃除することができる。
【００４２】
またこの発明は、上記いずれか記載のコード収納具の略水平一端辺に取り付け可能か、或いは、前記空洞部または他の第２の空洞部に収容されるロール状に巻いたロール体より外部へ引き出し可能か、のいずれかの可撓性を有した薄膜体であって、前記ダクトより引き出したコードを上方に覆うように取り付け可能であることを特徴とするコード収納具用埃防止カバー、を提供する。
【００４３】
またこの発明は、上記いずれか記載のコード収納具の略水平一端辺に取り付け可能か、或いは、前記空洞部または他の第２の空洞部に収容されるロール状に巻いたロール体より外部へ引き出し可能か、のいずれかの可撓性を有した筒状体であって、前記ダクトより引き出したコードを包み込むように取り付け可能であることを特徴とするコード収納具用埃防止カバー、を提供する。
【００４４】
これによれば、薄膜体または筒状体が、ダクトより引き出したコードを、夫々、上方を覆うように、または、包み込むように、取付可能であるので、ダクトから引き出したコードに埃がついてしまうことがない。
【００４５】
尚、筒状体は、２枚重ねに左右両端を折り込み平面状にするとよい。このようにすると、この筒状体はロール状に巻いてロール体とすることができる。またダクトより引き出したコードを筒状体の中に入れ易いように、平面状の片側には、所定間隔に切り込みや孔を設けるようにするとよい。
【００４６】
尚、上記したダクト、支持体、薄膜体、筒状体は、例えば、合成樹脂で形成することもでき、静電気により埃が吸着されないように導電性金属やカーボン系の導電性フィラー等の微粒子を主材料の合成樹脂に対して配合するようにしてもよい。もちろんこれらダクト、支持体は、金属性、あるいは、絶縁性塗料を塗布した金属を用いても良い。
【発明の効果】
【００４７】
以上説明してきたように、本発明のコード収納具、コード収納具の支持体、コード収納方法、および、コード収納具用埃防止カバーは、埃を清掃しにくいコードに絡めることなく、埃を容易に清掃できるようにする。
【実施例１】
【００４８】
以下、本発明の実施の形態を図１から図１１に基づいて説明する。尚、本実施例で例示するダクト２は白色の熱可塑性樹脂、支持体３は金属製、薄膜体２１および筒状体８はビニール、スイッチ手段３５は内部にリレーとこのリレーを駆動する駆動回路および配線を覆う樹脂製のボックスを用いるが、これに限定されない。
【００４９】
図１は、本発明の第１の実施形態であるコード収納具１ａの斜視図である。
本発明の第１の実施形態であるコード収納具１ａは、コード、電源タップ７００、電源プラグ７０１を収納するための空洞部１００を有するダクト２と、そのダクトを床面の上方に隙間をなして支持する支持部３からなる。支持部３は、ダクト２の外周を囲う帯を有し、この帯はダクト２に沿って移動自在である。そして、支持部３の床面に対し接触する、鉛直軸に対し水平方向に延設された床面接地部４ａ、４ｂが鉛直軸を中心とする蝶番５に軸支されて回転可能である。またダクトの下部に、空洞部内に収納したコードを外部に引き出すための連通部１０１を有している。またダクト２は、その断面形状が、埃がたまりにくいように頂点に角を有する屋根型であり、下方が電源タップ類を収容可能に幅広に形成されている。そしてダクト２は、水平方向の一端側面が平面であり、該平面を部屋の壁面側に設置可能である。また床面接地部４ａ、４ｂは床面に固定されていない。
【００５０】
また図２に示す如く、ダクト２は互いに連結するための、やや外周長を少なくして他のダクト２の空洞部１００の内側に挿入して嵌合可能な嵌合部２ｃを有する。そして、図３に示す如く、ダクト２はダクト２ａとダクト２ｂの如く互いに２乃至多数を連結可能である。
【００５１】
また図４に示す如く、支持部３は、上記した如く、ダクト２の外周を囲う帯を有し、この帯はダクト２に沿って移動自在である。そして、支持部３の床面に対し接触する、鉛直軸に対し水平方向に延設された床面接地部４ａ、４ｂが鉛直軸を中心とする蝶番５に軸支されて回転可能である。帯は３ａと３ｂに分割可能であり、切り込み３ａ１と３ｂ１とが互い嵌め込み可能であり、ダクト２の外周を囲う。
【００５２】
また図５に示す如く、床面接地部４ａ１、４ｂ１は、蝶番５の鉛直下方が、床面との間に隙間を有する。
【００５３】
この第１の実施形態によれば、コードや電源タップ７００、電源コンセント７０１などをダクト２の空洞部１００に収納できるので、コードに埃が絡むことなく、このダクト２を床面の上方に隙間をなして支持し、床面に対し接地する床面接地部４ａ、４ｂが少なくとも一部が移動可能又は／及び離床可能である複数の支持部を有するので、ダクトと床面の間に埃がたまることもなく、かつ、掃除する際には、床面接地部の少なくとも一部を床面に対し移動させるか又は／及び離床させるかして、床面接地部付近にたまった埃を掃除することができる。
【００５４】
また、ダクト２の一部に、空洞部１００内に収納したコードを外部に引き出すための連通部１０１を有するので、ダクト２をカッター等で穴や切込みをつける必要がなく、連通部１０１を介してコードを容易に外部に取り出すことができる。そして連通部１０１をダクト２下方に設けることで、埃などをダクト内部に溜めない。また、連通部１０１はダクト２の長手方向に沿ってもうけられており、任意の位置からコードを外部に取り出し可能である。
【００５５】
鉛直軸に対し回転自在にダクト２に軸支され、床面に接地しかつ鉛直軸に対し水平方向に延設された床面接地部４ａ、４ｂを複数有する支持体からなるので、通常、ダクト２はこの支持部３によって倒れることなくしっかりと支持され、掃除の際には床面接地部４ａ、４ｂを回転させてその床面接地部４ａ、４ｂと床面の間に溜まった埃を除去できる。
【００５６】
ダクト２は、その断面形状が、埃がたまりにくいように頂点に角を有する屋根型であり、下方が電源タップ７００や電源プラグ７０１を収納可能に幅広であるので、電源タップ類を収納可能に幅広としながらも埃が上部に溜まりにくい。
【００５７】
またダクト２は、水平方向の側面が平面であり、この平面を部屋の壁面側に設置可能であるので、壁面にダクトを密着でき、省スペース化が図れる。
【００５８】
また長手方向が１ｍのダクト２ａ、２ｂを互いに連結可能であり、ホームセンター等で販売する際に２〜４本毎に販売し、家庭内で使用する際には水平方向に互いに連結させて大きな部屋であっても壁面全域に沿って設置できる。
【実施例２】
【００５９】
また、図６に示す如く、コード収納具１ｂは、ダクト２の水平一端辺である切込み１０に薄膜体２１を取り付けてある。また、支持部３は、固定して鉛直軸に対し回転しない３枚板である床面接地部４からなり、ダクト２を上部の支持部３がゆるく挟持する。尚、支持部３は掃除する際にはダクト２に対し上部の支持部３がゆるく挟持されるので、床面接地部４をダクト２に沿って水平方向に移動させるか、一端外して、その支持部３の床面設置部４の付近の埃を掃除できる。そして、連通部１０１を介して空洞部１００より引き出されたコードをその近傍の電気装置まで薄膜体２１が上部から覆うので、コードに埃が絡むことがない。薄膜体２１に埃がたまれば、薄膜体２１を捨ててしまうか、他の広いところで拭いて再使用できる。薄膜体２１はラップを代用するようにしてもよい。
【００６０】
また、図７に示す如く、ダクト２は、２ｄの内側の空洞部１００内に他のダクト２ｅを格納し、２ｅの内側の空洞部１００内に他のダクト２ｆを格納する。このようにすることでホームセンター等で販売する際に例えば１ｍづつ複数本を互いのダクトの中に格納して販売できるので展示エリアを少なくできる。
【実施例３】
【００６１】
また図８に示す如く、コード収納具１ｃにおいて、ダクト２は、水平一端辺を軸に回転して開口する蓋部８を有し、ダクト２内の蓋部８の内側に電源タップ７００を位置させ、この電源タップ７００のコンセントに家庭用ゲーム機などでよく用いられる箱状体７０３の電源プラグを挿入することができる。蓋部８はダクト２の上部の水平軸を中心に回転し、箱状体７０３を、その上部から覆うことができるようにすることで、電源プラグ自体や電源プラグと電源タップ間に埃がたまらないようにできる。
【００６２】
また、リモコン指示を受信可能な受信装置３０を取り付け穴３１に家庭内の壁面によく用いられる石膏ボード用の小型の釘などで取り付け、この受信装置３０より電気的に接続する端部にコネクタ３３を有する接続線３２を介してコネクタ３４に取りつかられる。コネクタ３４は蓋部８の内側に配置されたスイッチ手段３５内に配線される。スイッチ手段３５は、電源コードにより電源を得る。そしてスイッチ手段３５には６個のリレー（図示しない）を有し、受信装置３０よりの信号を受けてリレーをＯＮ−ＯＦＦを駆動する電気回路を有している。リモコン指示により、ｉｎＡ１、ｉｎＡ２、ｉｎＡ３のコード入力端子のうち１本が出力端子ＯＵＴＡから出力されるようリレーが制御される。同様に、ｉｎＢ１、ｉｎＢ２、ｉｎＢ３のコード入力端子のうち１本が出力端子ＯＵＴＢから出力されるようリレーが制御される。これらスイッチ手段、コード入力端子、出力端子はダクト２の空洞部１００内に内在するのでコードやスイッチ手段、コード入力端子、出力端子が埃まみれにならず好ましい。このようにすることで、ステレオの外部入力端子（ＡＵＸ端子）に接続すべき、音源ソースを、複数の音源出力機器よりリモコン指示により選択して、接続することができる。また、リモコン指示によりコンセントであるｉｎＡ１、ｉｎＡ２、ｉｎＡ３、ＯＵＴＡ、ｉｎＢ１、ｉｎＢ２、ｉｎＢ３、ＯＵＴＢに電源供給をＯＮ−ＯＦＦするためリレー制御されるようにしてもよい。リモコン指示には全コンセントへの一括ＯＮボタンとＯＦＦボタンを装備され１ボタン操作によって全コンセントへの電源供給が一斉にＯＮまたはＯＦＦとされる。また、図９に拡大図を記した支持体３はダクト２内の上下方向に貫通するトンネル７に挿入可能であり、コードを収納するための空洞部１００を有するダクト２を床面の上方に隙間をなして支持棒６にて挟持して支持し、床面に接地する３枚板で形成された床面接地部４を床面より持ち上げることができる。また、空洞部１００に内在させた筒状体８がロール状に巻かれたロール体９より筒状体８を連通部１０１を介して引き出し、コードを複数の下方切込１８より筒状態８の内部に入れて電機機器に至るまで埃が内包し、コードに埃が被らないようできる。
【実施例４】
【００６３】
図１０に示す如く、コード収納具１ｄにおいて、支持部３はダクト２の上下方向に貫通するトンネル７に挿入可能であり、図１１に拡大図を記すと、下方の分岐した下方分岐部は、下部支持棒４ｃの先端の床面接地部４ｅと、下部支持部４ｆの先端の床面設置部４ｄを有し、途中には、角度固定機４０を備え、下方分岐部が接地位置と離床位置とを角度を固定して軸４１を中心に回転可能である。角度固定機４０は、軸４１に回転自在の下方分岐部と上方の支持部３とが軸支され、突起４２を有する。そして人間の力によって突起部４２を乗り越えて下方分岐部が接地位置と離床位置に回転させることができ、回転後は突起４２によってどちらかに固定できる。このようにして、掃除する際には、下方分岐部を上方の離床位置に離床させて容易に掃除することができる。また３本以上の支持部３によるダクト２を支持すれば、下方分岐部を上方に離床させても他の支持部３がダクトを支持するので床面に落ちてしまうこともない。
【００６４】
また、上記した実施例では、コードを収納するための空洞部１００を有するダクト２を床面の上方に隙間をなして支持し、床面に接地する床面接地部の一部を移動させるか又は／及び離床させてダクトの下方を清掃可能とすることができるので、床面接地部付近にたまった埃を掃除することができる。
【産業上の利用可能性】
【００６５】
リモコンの指示によって、複数の入力から１乃至複数の出力を選択して接続させるスイッチ手段、コード入力端子、出力端子は、コード収納具以外のもの、例えば、テレビ台、家具、ラック、壁面内に内在させてもよいし、埃が付着するも外部に露出させて使用することもできる。このようにすることで通常１つしかないステレオ等の外部入力端子に複数の音源ソースをリモコンで選択して接続することができる。また、スイッチ手段はリモコン指示によって、電源供給をＯＮ−ＯＦＦさせてもよい。例えば箱状体７０３の電源コイルに通電するのをリモコン操作によって防止できる。これにより、未使用の際でも電源コイルは電源コンセントに挿入されていると一定の消費電力を要するのでいちいち電源コンセントから電源コイルを外すことがなされないので、社会全体としては相当な量の電力が浪費されているのを防止できる。是非分割出願したい。
【図面の簡単な説明】
【００６６】
【図１】第１実施形態のコード収納具斜視図
【図２】第１実施形態のコード収納具のダクト斜視図
【図３】第１実施形態のコード収納具のダクトを連結した斜視図
【図４】第１実施形態のコード収納具の支持部斜視図
【図５】第１実施形態のコード収納具の第２の支持部斜視図
【図６】第２実施形態のコード収納具斜視図
【図７】第２実施形態のコード収納具のダクトを入れ子構造に収納した斜視図
【図８】第３実施形態のコード収納具斜視図
【図９】第３実施形態のコード収納具の第３の支持部斜視図
【図１０】第４の実施形態のコード収納具斜視図
【図１１】第４実施形態のコード収納具の第３の支持部斜視図
【符号の説明】
【００６７】
１ａ、１ｂ、１ｃ、１ｄ  コード収納具（第１実施形態〜第４実施形態）
２、２ａ、２ｂ、２ｄ、２ｅ、２ｆ  ダクト
２ｃ  嵌合部
３  支持部
３ａ１，３ｂ１  切込
４、４ａ１、４ｂ１  床面接地部
５  蝶番
６  支持棒
７  トンネル
８  筒状体
９  ロール体
１０  コード
１１、１３  入力端子
１２、１４  出力端子
１８  筒状体切込
１９  筒状体内側部
２１  薄膜体
４０  角度固定機
４１  角度固定機の軸
４２  角度固定機の突起
１００  空洞部
１０１  連通部
【手続補正書】
【提出日】平成16年11月29日(2004.11.29)
【手続補正１】
【補正対象書類名】特許請求の範囲
【補正対象項目名】全文
【補正方法】変更
【補正の内容】
【特許請求の範囲】
【請求項１】
コードを収納するための空洞部を有するダクトと、
前記ダクトを床面の上方に隙間をなして支持する支持部を有し、
前記支持部は、水平方向に延設された床面接地部を１乃至複数有し、
前記ダクトの厚み方向であって水平方向における一方のダクト端部が部屋の壁面に寄り掛け可能であり、前記床面接地部が壁面のない部屋空間側の床面に接地可能であり、前記ダクト端部と前記床面設置部とが夫々壁面と床面に対し作用して倒れないように構成されることを特徴とするコード収納具。
【請求項２】
コードを収納するための空洞部を有するダクトと、
前記ダクトを床面の上方に隙間をなして支持する支持部を有し、
前記支持部は、水平方向に延設された床面接地部を複数有し、
前記床面接地部が略鉛直軸に対し回転可能であり、回転させて互いの成す角を任意に設定可能であることを特徴とするコード収納具。
【請求項３】
コードを収納するための空洞部を有するダクトと、
前記ダクトを床面の上方に隙間をなして支持する支持部を有し、
前記支持部は、水平方向に延設された床面接地部を有し、
前記床面接地部が床面に対し移動可能であり、
前記床面接地部を壁面に当らないよう壁面のない部屋空間側に移動させて配置可能であることを特徴とするコード収納具。
【請求項４】
前記ダクトより引き出したコードの上方を覆うことが可能な可撓性を有した薄膜体を、前記ダクトの一端辺に取り付け可能であるか、或いは、前記薄膜体をロール状に巻いたロール体を収容する前記空洞部または他の第２の空洞部より外部へ引き出し可能であることを特徴とする請求項１乃至請求項４いずれか記載のコード収納具。
【請求項５】
前記ダクトより引き出したコードを包み込むことが可能な可撓性を有した筒状体を、前記ダクトの一端辺に取り付け可能であるか、或いは、前記筒状体をロール状に巻いたロール体を収容する前記空洞部または他の第２の空洞部より外部へ引き出し可能であることを特徴とする請求項１乃至請求項４いずれか記載のコード収納具。
【手続補正２】
【補正対象書類名】明細書
【補正対象項目名】全文
【補正方法】変更
【補正の内容】
【発明の詳細な説明】
【技術分野】
【０００１】
本発明は電源コード等を収納するコード収納具、コード収納具を支持する支持体、コー
ド収納方法、及びコード収納具に付随して用いるコード収納用埃防止カバーに関するもの
である。
【背景技術】
【０００２】
従来、コード収納具としては、内部にコード収納するための空洞部を有したダクトを床に
両面テープによって貼り付けたものが知られている。また、特許文献１の図４には電線を
内蔵したプロテクタ１を電線支持具２５により床面の上方に隙間をなして支持する技術が
開示されている。また、特許文献２の図６の（ａ）（ｂ）にはコードＡを収納した収納体
１を床面の上方に隙間をなして取り付け部材７を介して柱や壁面に取り付け可能とする技
術が開示されている。
【特許文献１】特開平５−６４３３８
【特許文献２】実開平７−３９５４８
【発明の開示】
【発明が解決しようとする課題】
【０００３】
最近、パソコン、プリンタ、ステレオ等の音響機器、テレビ、ビデオ等を動作可能に電
源コードや音響用のコードを配線すると、かなりの多数のコードが床面上に乱雑に置かれ
ることになる。その多数のコードに埃が絡んで、家庭用の掃除機の吸入口をコードに絡ん
だ埃に近づけても容易に吸い込むことがでずイライラしてしまうことになる。また空中に
コードを配線しても、むきだしのコードに埃がついて、コード一本毎に拭き取り掃除しな
いときれいにならないでイライラしてしまう。また電源コードをたこ足にする電源タップ
のプラグとの接続部に埃がたまることによって火事の原因になることもある。
【０００４】
また、コードを収納したダクトを床に両面テープによって貼り付けたものを用いた場合
においては、床面とダクトの間に埃がたまり、その部分の掃除も容易でない。そして両面
テープを再び取り外し難く、そのテープが床面に残ってしまい汚れてしまうことになる。
【０００５】
また、特許文献１記載の電線支持部２５が床面に対し固定された技術においては、床面
と電線支持部２５の境界部に埃がたまりやすく、家庭内に設置する場合には、床面に固定
される際、床面をネジ留めによって傷つけてしまい借家においては実行することも禁じら
れているケースが多い。また、特許文献１記載の電線支持部２５を床面に固定しない場合
、支えがないので倒れやすい。
【０００６】
また、特許文献２記載のコードＡを収納した収納体１を取り付け部材７を介して柱や壁
面に取り付け可能とする技術においては、家庭内に設置する場合においては、取り付け部
材７を柱や壁面に取り付け再び取り外す際、傷ついてしまったり、汚れてしまうといった
問題が生じる。そして、コードの余長部分を収納体１に収納可能ながら、切り込み３より
外部に引き出した部分に埃がついてしまいコードを一本毎に埃の拭き取り掃除を行わない
ときれいにならない。    
【０００７】
本発明は、上記問題を解決するものであり、埃を清掃しにくいコードに絡めることなく
、埃を容易に清掃できるようにすることを目的とするものである。
【課題を解決するための手段】
【０００８】
この発明は、コードを収納するための空洞部を有するダクトと、前記ダクトを床面の上方に隙間をなして支持する支持部を有し、前記支持部は、水平方向に延設された床面接地部を１乃至複数有し、前記ダクトの厚み方向であって水平方向における一方のダクト端部が部屋の壁面に寄り掛け可能であり、前記床面接地部が壁面のない部屋空間側の床面に接地可能であり、前記ダクト端部と前記床面設置部とが夫々壁面と床面に対し作用して倒れないように構成されることを特徴とするコード収納具、である。
【０００９】
尚、ダクトは断面が四角形に限定しない、円形、楕円形、三角形、その他多角形、など
ダクトとしてのコードを収納可能な空洞部を有すれば本発明のダクトに含まれる。
【００１０】
また尚、隙間は床面とダクトが接地しない程度であればよい。
【００１１】
また尚、支持部は、例えば棒状とし、例えばダクトの両端部、又は、下記の如くの連結
する場合のダクト間の連結部を複数の支持部で支持するようにしてもよいが、１つのダク
トの略中央部に１つの支持部にて支持するようにしてもよい。そして支持部はダクトに対
し、下記の如く、ダクトに回転自在に軸支されてもよいし、その際、ダクト下部に設けら
れた軸受孔に支持部を下方より挿入し上端まで貫くように構成してもよいし、支持部に螺
刻を設けてその軸受孔の径より幅広のナットを螺着して、ダクトが所定の高さに設定可能
としてもよい。そしてその支持部である回転軸の鉛直下方の床面接地部は移動させないで
、下記の如くこの床面接地部が略鉛直軸に対し水平方向に延設させた延設部が回転して移
動可能としてもよい。より好ましくは支持部の回転軸の鉛直下方は接地しないようにして
延設部のみが接地するようにすれば、埃がたまる部位がないので好ましい。
【００１２】
また支持部は、ダクトの少なくともダクト下方をダクト厚さにかけて水平方向に延設さ
せて支持する水平延設支持部を設け、ダクトの水平長手方向にスライド移動可能に構成し
てもよい。また水平延設支持部の端部が上方にさらに延設されてダクトを挟持するように
してダクトが支持部から落ち難いようにしてもよい。
【００１３】
またこの発明は、コードを収納するための空洞部を有するダクトと、前記ダクトを床面の上方に隙間をなして支持する支持部を有し、前記支持部は、水平方向に延設された床面接地部を複数有し、前記床面接地部が略鉛直軸に対し回転可能であり、回転させて互いの成す角を任意に設定可能であることを特徴とするコード収納具、を提供する。
【００１４】
またこの発明は、コードを収納するための空洞部を有するダクトと、前記ダクトを床面の上方に隙間をなして支持する支持部を有し、前記支持部は、水平方向に延設された床面接地部を有し、前記床面接地部が床面に対し移動可能であり、前記床面接地部を壁面に当らないよう壁面のない部屋空間側に移動させて配置可能であることを特徴とするコード収納具、を提供する。
【００１５】
またこの発明は、前記ダクトより引き出したコードの上方を覆うことが可能な可撓性を有した薄膜体を、前記ダクトの一端辺に取り付け可能であるか、或いは、前記薄膜体をロール状に巻いたロール体を収容する前記空洞部または他の第２の空洞部より外部へ引き出し可能か、のいずれかであることを特徴とするコード収納具、を提供する。
【００１６】
またこの発明は、前記ダクトより引き出したコードを包み込むことが可能な可撓性を有した筒状体を、前記ダクトの一端辺に取り付け可能であるか、或いは、前記筒状体をロール状に巻いたロール体を収容する前記空洞部または他の第２の空洞部より外部へ引き出し可能か、のいずれかであることを特徴とするコード収納具、を提供する。
【００１７】
これによれば、薄膜体または筒状体が、ダクトより引き出したコードを、夫々、上方を
覆うように、または、包み込むように、取付可能であるので、ダクトから引き出したコー
ドに埃がついてしまうことがない。
【００１８】
尚、筒状体は、２枚重ねに左右両端を折り込み平面状にするとよい。このようにすると
、この筒状体はロール状に巻いてロール体とすることができる。またダクトより引き出し
たコードを筒状体の中に入れ易いように、平面状の片側には、所定間隔に切り込みや孔を
設けるようにするとよい。
【００１９】
尚、上記したダクト、支持体、薄膜体、筒状体は、例えば、合成樹脂で形成することも
でき、静電気により埃が吸着されないように導電性金属やカーボン系の導電性フィラー等
の微粒子を主材料の合成樹脂に対して配合するようにしてもよい。もちろんこれらダクト
、支持体は、金属性、あるいは、絶縁性塗料を塗布した金属を用いても良い。
【発明の効果】
【００２０】
以上説明してきたように、本発明のコード収納具は、埃を清掃しにくいコードに絡めることなく、埃を容易に清掃できるようにすることができる。
【実施例１】
【００２１】
以下、本発明の実施の形態を図１から図１１に基づいて説明する。尚、本実施例で例示
するダクト２は白色の熱可塑性樹脂、支持体３は金属製、薄膜体２１および筒状体８はビ
ニール、スイッチ手段３５は内部にリレーとこのリレーを駆動する駆動回路および配線を
覆う樹脂製のボックスを用いるが、これに限定されない。
【００２２】
図１は、本発明の第１の実施形態であるコード収納具１ａの斜視図である。
本発明の第１の実施形態であるコード収納具１ａは、コード、電源タップ７００、電源プ
ラグ７０１を収納するための空洞部１００を有するダクト２と、そのダクトを床面の上方
に隙間をなして支持する支持部３からなる。支持部３は、ダクト２の外周を囲う帯を有し
、この帯はダクト２に沿って移動自在である。そして、支持部３の床面に対し接触する、
鉛直軸に対し水平方向に延設された床面接地部４ａ、４ｂが鉛直軸を中心とする蝶番５に
軸支されて回転可能である。またダクトの下部に、空洞部内に収納したコードを外部に引
き出すための連通部１０１を有している。またダクト２は、その断面形状が、埃がたまり
にくいように頂点に角を有する屋根型であり、下方が電源タップ類を収容可能に幅広に形
成されている。そしてダクト２は、水平方向の一端側面が平面であり、該平面を部屋の壁
面側に設置可能である。また床面接地部４ａ、４ｂは床面に固定されていない。
【００２３】
また図２に示す如く、ダクト２は互いに連結するための、やや外周長を少なくして他の
ダクト２の空洞部１００の内側に挿入して嵌合可能な嵌合部２ｃを有する。そして、図３
に示す如く、ダクト２はダクト２ａとダクト２ｂの如く互いに２乃至多数を連結可能であ
る。
【００２４】
また図４に示す如く、支持部３は、上記した如く、ダクト２の外周を囲う帯を有し、こ
の帯はダクト２に沿って移動自在である。そして、支持部３の床面に対し接触する、鉛直
軸に対し水平方向に延設された床面接地部４ａ、４ｂが鉛直軸を中心とする蝶番５に軸支
されて回転可能である。帯は３ａと３ｂに分割可能であり、切り込み３ａ１と３ｂ１とが
互い嵌め込み可能であり、ダクト２の外周を囲う。
【００２５】
また図５に示す如く、床面接地部４ａ１、４ｂ１は、蝶番５の鉛直下方が、床面との間
に隙間を有する。
【００２６】
この第１の実施形態によれば、コードや電源タップ７００、電源コンセント７０１など
をダクト２の空洞部１００に収納できるので、コードに埃が絡むことなく、このダクト２
を床面の上方に隙間をなして支持し、床面に対し接地する床面接地部４ａ、４ｂが少なく
とも一部が移動可能又は／及び離床可能である複数の支持部を有するので、ダクトと床面
の間に埃がたまることもなく、かつ、掃除する際には、床面接地部の少なくとも一部を床
面に対し移動させるか又は／及び離床させるかして、床面接地部付近にたまった埃を掃除
することができる。
【００２７】
また、ダクト２の一部に、空洞部１００内に収納したコードを外部に引き出すための連
通部１０１を有するので、ダクト２をカッター等で穴や切込みをつける必要がなく、連通
部１０１を介してコードを容易に外部に取り出すことができる。そして連通部１０１をダ
クト２下方に設けることで、埃などをダクト内部に溜めない。また、連通部１０１はダク
ト２の長手方向に沿ってもうけられており、任意の位置からコードを外部に取り出し可能
である。
【００２８】
鉛直軸に対し回転自在にダクト２に軸支され、床面に接地しかつ鉛直軸に対し水平方向
に延設された床面接地部４ａ、４ｂを複数有する支持体からなるので、通常、ダクト２は
この支持部３によって倒れることなくしっかりと支持され、掃除の際には床面接地部４ａ
、４ｂを回転させてその床面接地部４ａ、４ｂと床面の間に溜まった埃を除去できる。
【００２９】
ダクト２は、その断面形状が、埃がたまりにくいように頂点に角を有する屋根型であり
、下方が電源タップ７００や電源プラグ７０１を収納可能に幅広であるので、電源タップ
類を収納可能に幅広としながらも埃が上部に溜まりにくい。
【００３０】
またダクト２は、水平方向の側面が平面であり、この平面を部屋の壁面側に設置可能で
あるので、壁面にダクトを密着でき、省スペース化が図れる。
【００３１】
また長手方向が１ｍのダクト２ａ、２ｂを互いに連結可能であり、ホームセンター等で
販売する際に２〜４本毎に販売し、家庭内で使用する際には水平方向に互いに連結させて
大きな部屋であっても壁面全域に沿って設置できる。
【実施例２】
【００３２】
また、図６に示す如く、コード収納具１ｂは、ダクト２の水平一端辺である切込み１０
に薄膜体２１を取り付けてある。また、支持部３は、固定して鉛直軸に対し回転しない３
枚板である床面接地部４からなり、ダクト２を上部の支持部３がゆるく挟持する。尚、支
持部３は掃除する際にはダクト２に対し上部の支持部３がゆるく挟持されるので、床面接
地部４をダクト２に沿って水平方向に移動させるか、一端外して、その支持部３の床面設
置部４の付近の埃を掃除できる。そして、連通部１０１を介して空洞部１００より引き出
されたコードをその近傍の電気装置まで薄膜体２１が上部から覆うので、コードに埃が絡
むことがない。薄膜体２１に埃がたまれば、薄膜体２１を捨ててしまうか、他の広いとこ
ろで拭いて再使用できる。薄膜体２１はラップを代用するようにしてもよい。
【００３３】
また、図７に示す如く、ダクト２は、２ｄの内側の空洞部１００内に他のダクト２ｅを
格納し、２ｅの内側の空洞部１００内に他のダクト２ｆを格納する。このようにすること
でホームセンター等で販売する際に例えば１ｍづつ複数本を互いのダクトの中に格納して
販売できるので展示エリアを少なくできる。
【実施例３】
【００３４】
また図８に示す如く、コード収納具１ｃにおいて、ダクト２は、水平一端辺を軸に回転
して開口する蓋部８を有し、ダクト２内の蓋部８の内側に電源タップ７００を位置させ、
この電源タップ７００のコンセントに家庭用ゲーム機などでよく用いられる箱状体７０３
の電源プラグを挿入することができる。蓋部８はダクト２の上部の水平軸を中心に回転し
、箱状体７０３を、その上部から覆うことができるようにすることで、電源プラグ自体や
電源プラグと電源タップ間に埃がたまらないようにできる。
【００３５】
また、リモコン指示を受信可能な受信装置３０を取り付け穴３１に家庭内の壁面によく
用いられる石膏ボード用の小型の釘などで取り付け、この受信装置３０より電気的に接続
する端部にコネクタ３３を有する接続線３２を介してコネクタ３４に取りつかられる。コ
ネクタ３４は蓋部８の内側に配置されたスイッチ手段３５内に配線される。スイッチ手段
３５は、電源コードにより電源を得る。そしてスイッチ手段３５には６個のリレー（図示
しない）を有し、受信装置３０よりの信号を受けてリレーをＯＮ−ＯＦＦを駆動する電気
回路を有している。リモコン指示により、ｉｎＡ１、ｉｎＡ２、ｉｎＡ３のコード入力端
子のうち１本が出力端子ＯＵＴＡから出力されるようリレーが制御される。同様に、ｉｎ
Ｂ１、ｉｎＢ２、ｉｎＢ３のコード入力端子のうち１本が出力端子ＯＵＴＢから出力され
るようリレーが制御される。これらスイッチ手段、コード入力端子、出力端子はダクト２
の空洞部１００内に内在するのでコードやスイッチ手段、コード入力端子、出力端子が埃
まみれにならず好ましい。このようにすることで、ステレオの外部入力端子（ＡＵＸ端子
）に接続すべき、音源ソースを、複数の音源出力機器よりリモコン指示により選択して、
接続することができる。また、リモコン指示によりコンセントであるｉｎＡ１、ｉｎＡ２
、ｉｎＡ３、ＯＵＴＡ、ｉｎＢ１、ｉｎＢ２、ｉｎＢ３、ＯＵＴＢに電源供給をＯＮ−Ｏ
ＦＦするためリレー制御されるようにしてもよい。リモコン指示には全コンセントへの一
括ＯＮボタンとＯＦＦボタンを装備され１ボタン操作によって全コンセントへの電源供給
が一斉にＯＮまたはＯＦＦとされる。また、図９に拡大図を記した支持体３はダクト２内
の上下方向に貫通するトンネル７に挿入可能であり、コードを収納するための空洞部１０
０を有するダクト２を床面の上方に隙間をなして支持棒６にて挟持して支持し、床面に接
地する３枚板で形成された床面接地部４を床面より持ち上げることができる。また、空洞
部１００に内在させた筒状体８がロール状に巻かれたロール体９より筒状体８を連通部１
０１を介して引き出し、コードを複数の下方切込１８より筒状態８の内部に入れて電機機
器に至るまで埃が内包し、コードに埃が被らないようできる。
【実施例４】
【００３６】
図１０に示す如く、コード収納具１ｄにおいて、支持部３はダクト２の上下方向に貫通
するトンネル７に挿入可能であり、図１１に拡大図を記すと、下方の分岐した下方分岐部
は、下部支持棒４ｃの先端の床面接地部４ｅと、下部支持部４ｆの先端の床面設置部４ｄ
を有し、途中には、角度固定機４０を備え、下方分岐部が接地位置と離床位置とを角度を
固定して軸４１を中心に回転可能である。角度固定機４０は、軸４１に回転自在の下方分
岐部と上方の支持部３とが軸支され、突起４２を有する。そして人間の力によって突起部
４２を乗り越えて下方分岐部が接地位置と離床位置に回転させることができ、回転後は突
起４２によってどちらかに固定できる。このようにして、掃除する際には、下方分岐部を
上方の離床位置に離床させて容易に掃除することができる。また３本以上の支持部３によ
るダクト２を支持すれば、下方分岐部を上方に離床させても他の支持部３がダクトを支持
するので床面に落ちてしまうこともない。
【００３７】
また、上記した実施例では、コードを収納するための空洞部１００を有するダクト２を
床面の上方に隙間をなして支持し、床面に接地する床面接地部の一部を移動させるか又は
／及び離床させてダクトの下方を清掃可能とすることができるので、床面接地部付近にた
まった埃を掃除することができる。
【産業上の利用可能性】
【００３８】
リモコンの指示によって、複数の入力から１乃至複数の出力を選択して接続させるスイ
ッチ手段、コード入力端子、出力端子は、コード収納具以外のもの、例えば、テレビ台、
家具、ラック、壁面内に内在させてもよいし、埃が付着するも外部に露出させて使用する
こともできる。このようにすることで通常１つしかないステレオ等の外部入力端子に複数
の音源ソースをリモコンで選択して接続することができる。また、スイッチ手段はリモコ
ン指示によって、電源供給をＯＮ−ＯＦＦさせてもよい。例えば箱状体７０３の電源コイ
ルに通電するのをリモコン操作によって防止できる。これにより、未使用の際でも電源コ
イルは電源コンセントに挿入されていると一定の消費電力を要するのでいちいち電源コン
セントから電源コイルを外すことがなされないので、社会全体としては相当な量の電力が
浪費されているのを防止できる。
【図面の簡単な説明】
【００３９】
【図１】第１実施形態のコード収納具斜視図
【図２】第１実施形態のコード収納具のダクト斜視図
【図３】第１実施形態のコード収納具のダクトを連結した斜視図
【図４】第１実施形態のコード収納具の支持部斜視図
【図５】第１実施形態のコード収納具の第２の支持部斜視図
【図６】第２実施形態のコード収納具斜視図
【図７】第２実施形態のコード収納具のダクトを入れ子構造に収納した斜視図
【図８】第３実施形態のコード収納具斜視図
【図９】第３実施形態のコード収納具の第３の支持部斜視図
【図１０】第４の実施形態のコード収納具斜視図
【図１１】第４実施形態のコード収納具の第３の支持部斜視図
【符号の説明】
【００４０】
１ａ、１ｂ、１ｃ、１ｄ  コード収納具（第１実施形態〜第４実施形態）
２、２ａ、２ｂ、２ｄ、２ｅ、２ｆ  ダクト
２ｃ  嵌合部
３  支持部
３ａ１，３ｂ１  切込
４、４ａ１、４ｂ１  床面接地部
５  蝶番
６  支持棒
７  トンネル
８  筒状体
９  ロール体
１０  コード
１１、１３  入力端子
１２、１４  出力端子
１８  筒状体切込
１９  筒状体内側部
２１  薄膜体
４０  角度固定機
４１  角度固定機の軸
４２  角度固定機の突起
１００  空洞部
１０１  連通部